(57)【要約】      （修正有）【課題】各家庭で廃棄される生ゴミから各家庭で堆肥を簡単に製造でき、生ゴミを収集するコストを低減できるとともに、製造された堆肥は土壌の活性材として活用でき、さらに袋体に企業名、商品名を表示し、広告料を生ゴミリサイクルの諸費用に充当できる可搬式生ゴミ処理袋を提供する。【解決手段】通気性を有する袋体１１であり、この袋体１１内に生ゴミ１７を収容する容積分を残して予め有機質資材又は無機質資材からなる水分調整剤１６を収容し、袋体１１に生ゴミ１７を収容して水分調整剤１６と撹拌することにより、生ゴミ１７を水と炭酸ガスに分解処理して堆肥化することができる可搬式生ゴミ処理袋であって、袋体１１の外表面に企業名、商品名等の広告を表示したことを特徴とする。【選択図】図２
0003134686.tif 000002
【実用新案登録請求の範囲】
【請求項１】
通気性を有する袋体であり、この袋体内に生ゴミを収容する容積分を残して予め有機質資材又は無機質資材からなる水分調整剤を収容し、前記袋体に生ゴミを収容して前記水分調整剤と撹拌することにより、前記生ゴミを水と炭酸ガスに分解処理して堆肥化することができる可搬式生ゴミ処理袋であって、
前記袋体の外表面に企業名、商品名等の広告を表示したことを特徴とする可搬式生ゴミ処理袋。
【請求項２】
前記袋体は、通気性を有する合成繊維製袋であって、前記袋体の外表面には企業名、商品名等の広告が印刷されていることを特徴とする請求項１記載の可搬式生ゴミ処理袋。
【請求項３】
前記袋体の外表面には企業名、商品名等の広告とともに、生ゴミから堆肥を製造する方法の説明文が印刷されていることを特徴とする請求項１記載の可搬式生ゴミ処理袋。
【考案の詳細な説明】
【技術分野】
【０００１】
本考案は、各家庭、飲食店等から廃棄される生ゴミを分解処理する可搬式生ゴミ処理袋に関する。
【背景技術】
【０００２】
各家庭、飲食店等から廃棄される生ゴミ等の有機物を分解処理する有機物減却再生装置を本出願人は開発し、既に登録されている（特許文献１参照。）。この有機物減却再生装置は、予め水分調整剤が収容された処理槽に投入し、この処理槽を回転して有機物と水分調整剤を撹拌し、さらに処理槽の内部に温風を送り込み、有機物を水と炭酸ガスに分解処理するとともに、分解中に発生する気体を処理槽から排出させるようになっている。
【０００３】
この有機物減却再生装置は、大量の生ゴミ等の有機物を効率的に処理して減却することができ、また処理された再生資源は土壌の活性剤（堆肥）として活用できることで注目されている。
【０００４】
また、封止機能を持った容器の内部に、樹木の粉砕片からなる液分吸収剤を収容して吸液床とし、この容器内に生ゴミ、ＥＭボカシを投入した状態で、容器を密封して熟成期間放置して生ゴミによる堆肥の製造方法が知られている（特許文献２参照。）。
【特許文献１】実用新案登録第３１２１１８２号公報
【特許文献２】特開２００５−２９８２２０号公報
【考案の開示】
【考案が解決しようとする課題】
【０００５】
しかしながら、特許文献１のものは、大量の生ゴミを処置する大型の設備であり、一般家庭には採用できないとともに、各家庭で廃棄された生ゴミを収集して有機物減却再生装置を備えた処理施設まで運搬するコストが掛かる。特許文献２のものは、密閉できる容器が必要であるとともに、容器にＥＭボカシを投入し、ＥＭボカシによって生ゴミを分解処理する方法であり、一般家庭で生ゴミから堆肥を製造するにしてもコストが掛かる。さらに、ＥＭボカシは土壌に対して未分解物が戻されるため、土壌に対して負荷が加わり、悪臭も発生するという問題がある。
【０００６】
本考案は、前記事情に着目してなされたもので、その目的とするところは、各家庭で廃棄される生ゴミから各家庭で堆肥を製造でき、生ゴミを収集するコストを低減できるとともに、製造された堆肥は土壌の活性材として活用でき、さらに袋体に企業名、商品名を表示し、広告料を生ゴミリサイクルの諸費用に充当できる可搬式生ゴミ処理袋を提供することにある。
【課題を解決するための手段】
【０００７】
本考案は、前述した目的を達成するために、請求項１は、通気性を有する袋体であり、この袋体内に生ゴミを収容する容積分を残して予め有機質資材又は無機質資材からなる水分調整剤を収容し、前記袋体に生ゴミを収容して前記水分調整剤と撹拌することにより、前記生ゴミを水と炭酸ガスに分解処理して堆肥化することができる可搬式生ゴミ処理袋であって、前記袋体の外表面に企業名、商品名等の広告を表示したことを特徴とする可搬式生ゴミ処理袋にある。
【０００８】
請求項２は、請求項１の前記袋体は、通気性を有する合成繊維製袋であって、前記袋体の外表面には企業名、商品名等の広告が印刷されていることを特徴とする。
【０００９】
請求項３は、請求項１の前記袋体の外表面には企業名、商品名等の広告とともに、生ゴミから堆肥を製造する方法の説明文が印刷されていることを特徴とする。
【考案の効果】
【００１０】
本考案によれば、袋体に企業名、商品名等の広告を表示し、広告料を生ゴミリサイクルの諸費用に充当することにより、自治体の負担を軽減もしくは収入源となる。さらに、各家庭で廃棄される生ゴミから各家庭で堆肥を簡単に製造でき、各家庭から生ゴミを収集する自治体にとっては収集のための費用を大幅に軽減できる。さらに、得られた堆肥は、各家庭での家庭菜園等に活用でき、堆肥を必要としない家庭においては、堆肥を必要とする農家、学校等に供給することができるという効果がある。
【考案を実施するための最良の形態】
【００１１】
以下、本考案の実施の形態を図面に基づいて説明する。
【００１２】
図１及び図２は第１の実施形態を示し、通気性を有する可搬式の袋体１１は、ナイロン等の合成繊維糸を織成又は編成した布を袋状に縫製した柔軟性を有するものであり、底部１２を有する胴部１３の上部には開口部１４が設けられている。開口部１４にはその開口を巾着式に閉じることができる閉じ紐１５が設けられている。袋体１１は容積が例えば２０リットルであり、この袋体１１内には有機質資材又は無機質資材からなる水分調整剤１６が予め収容される。水分調整剤１６は、例えば１０リットルであり、袋体１１の内部には被処理物としての生ゴミを収容する容積分（約１０リットル）を残して予め収容されている。
【００１３】
水分調整剤１６としては、籾殻、おがくず、チップ、バーク、コーヒー粕、そば殻等の有機質資材又はセラミック粒状体等の無機質資材に土壌菌からなる微生物及び酵素を付着したものである。従って、１０リットルの水分調整剤１６を収容したとしても袋体１１は軽量であり、持ち運び取り扱いが容易であり、また保管に場所を取らないため、雨水等で濡れない場所であればどのような場所でも設置できる。
【００１４】
さらに、袋体１１の胴部１３正面の外表面には企業名、商品名等の広告１８が印刷によって表示されている。広告１８は、例えば「株式会社ＡＢＣ」「ＸＹＺ商店」等の企業名を１社又は数社、「○○菓子」「××農機」等の商品名を縦書き、横書きで表示したものであり、また企業名、商品名とともに、ＴＥＬ，ＦＡＸ，ホームページアドレス等を表示してもよい。
【００１５】
袋体１１の胴部１３裏面の外表面にも同様の広告１８を表示することもできるが、裏面の空きスペースを利用して生ゴミから堆肥を製造する方法の説明文１９を印刷してもよい。すなわち、可搬式生ゴミ処理袋を初めて使用する人を対象に、生ゴミを袋体１１に投入する際の注意事項、水分調整剤１６が水分を吸収できない飽和状態になったときの見分け方等をイラストとともに表示してもよい。
【００１６】
次に、可搬式生ゴミ処理袋の使用方法について説明すると、袋体１１の開口部１４から袋体１１の内部に家庭で廃棄される被処理物としての生ゴミ１７を投入する。なお、一般家庭では１日に廃棄される生ゴミ１７の平均量は約１ｋｇと言われており、１日分の生ゴミ１７を包丁等でできるだけ細かく破砕するのが望ましい。そして、開口部１４を閉じ紐１５によって結束して閉じ、袋体１１を手で持ち上げて上下方向に振ると、水分調整剤１６と生ゴミ１７とが撹拌される。
【００１７】
このように毎日、家庭から廃棄される生ゴミ１７を袋体１１に投入して撹拌する操作を繰り返す。袋体１１は通気性を有するため酸素が供給され、生ゴミ１７は微生物によって水と炭酸ガスによって分解され、発生する気体Ｇは袋体１１を透過して外部に放出される。生ゴミ１７は水の含有率が約８８％と言われているのに対し、分解作用を行う微生物が最も活発に活動できる含水率が５５〜６５％と言われているため、袋体１１の内部に予め収容されている水分調整剤１６によって水分調整が行なわれ、袋体１１の内部の固形物が減却されて殆ど残らない。従って、毎日、家庭から廃棄される生ゴミ１７を袋体１１に投入しても袋体１１の内部の嵩は殆んど増えない。
【００１８】
しかし、水分調整剤１６が水分を吸収できない飽和状態になった場合、袋体１１の開口部１４を閉じ紐１５によって結束した状態で、直射日光が当たらない場所に１〜２週間保管すると、袋体１１の内部に堆肥ができる。得られた堆肥は、各家庭での家庭菜園等に活用でき、堆肥を必要としない家庭においては、堆肥を必要とする農家、学校等に供給することができる。この場合、堆肥を袋体１１のまま供給でき、取り扱いがしやすい。堆肥を供給した後は、新しい袋体１１を用意（購入等）して再び水分調整剤１６を収容することにより、前述と同様に生ゴミ１７を投入して堆肥化できる。
【００１９】
なお、袋体１１が未使用状態においては、矩形扁平状であるため、広告１８の全体を目視できるが、袋体１１に内容物が収容され、開口部１４を閉じ紐１５によって結束すると、袋体１１の上部に近い部分は窄まれるため、広告１８の一部が隠れることになる。従って、袋体１１の上部から離れた位置に広告１８を表示するのが望ましいが、上部に表示した広告１８は一部が隠れることを想定して広告掲載料で調整することもできる。
【００２０】
なお、本考案は、前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を適宜組み合わせてもよい。
【図面の簡単な説明】
【００２１】
【図１】本考案の第１の実施形態を示し、（ａ）は正面図、（ｂ）は裏面図、（ｃ）は袋体の開口部を閉じ紐で閉じた状態の斜視図。
【図２】同実施形態の袋体を示し、（ａ）〜（ｃ）は可搬式生ゴミ処理袋の説明図。
【符号の説明】
【００２２】
１１…袋体、１４…開口部、１６…水分調整剤、１７…生ゴミ、１８…広告
【図１】
0003134686.tif 000003
【図２】
0003134686.tif 000004